(57)【要約】【課題】隙間防止部材を備えたブラインドにおいて使用可能なブラケットの形状に自由度を持たせることの可能なブラインドを提供する。【解決手段】ブラインド１００は、建物の開口部ＡＰに配置されるヘッドボックス１１０と、ヘッドボックス１１０を開口部ＡＰの固定面に固定するブラケット１３０と、ヘッドボックス１１０に一端が支持されるとともにヘッドボックス１１０から昇降可能に垂下するハニカムスクリーン１２０と、を有し、ヘッドボックス１１０と固定面との間の隙間を遮蔽可能な隙間防止部材１４０を備え、隙間防止部材１４０は、ブラケット１３０より前方の位置において、ブラケット１３０と干渉しない位置に配置されることを特徴とする。かかる構成により、隙間防止部材を備えたブラインドにおいて使用可能なブラケットの形状に自由度を持たせることの可能なブラインドを提供することができる。【選択図】図２
2020133299.tif 000002
【特許請求の範囲】
【請求項１】
建物の開口部に配置される支持部材と、前記支持部材を前記開口部の固定面に固定するブラケットと、前記支持部材に一端が支持されるとともに前記支持部材から昇降可能に垂下する遮蔽材と、を有するブラインドであって、
前記支持部材と前記固定面との間の隙間を遮蔽可能な隙間防止部材を備え、
前記隙間防止部材は、前記ブラケットより前方の位置において、前記ブラケットと干渉しない位置に配置されることを特徴とする、ブラインド。
【請求項２】
前記支持部材には、前記ブラケットに係止されるためのツバ部が形成され、前記隙間防止部材は前記ツバ部の上面に設けられることを特徴とする、請求項１に記載のブラインド。
【請求項３】
前記支持部材は、前記ブラケットよりも前方に張り出して形成されており、張り出した部分の上面に前記隙間防止部材が設けられることを特徴とする、請求項１に記載のブラインド。
【請求項４】
前記支持部材の前面には、化粧カバーを収容する収容部が前方に突出して形成されており、前記収容部の上面に前記隙間防止部材が設けられることを特徴とする、請求項１に記載のブラインド。
【請求項５】
前記隙間防止部材は、前記固定面に設けられることを特徴とする、請求項１に記載のブラインド。
【請求項６】
前記隙間防止部材は、前記支持部材に一体に形成されていることを特徴とする、請求項１に記載のブラインド。
【発明の詳細な説明】
【技術分野】
【０００１】
本発明はブラインドに関する。
【背景技術】
【０００２】
従来のブラインドとして、特開２００９−１３８３２７号公報（特許文献１）に示されるものがある。同文献に開示されるブラインドは、窓の上枠等の取付面に、取付具を介して固定されたブラケットによって両端部を支持するようにフレームが取付けられており、フレームの後辺から取付面近傍まで上方に延びる上部ガイド片が形成されている。上部ガイド片の上端部には隙間遮蔽用のゴム片が取着されている。このゴム片は、フレームの全長に亘って取着され、上部ガイド片から上方へ延びて取付面に弾性的に当接して、上部ガイド片と取付面との間の隙間を遮蔽するようになっている。
【先行技術文献】
【特許文献】
【０００３】
【特許文献１】特開２００９−１３８３２７号公報
【発明の概要】
【発明が解決しようとする課題】
【０００４】
ところで、特許文献１に開示されるような従来のブラインドでは、隙間遮蔽用のゴム片が取着されるフレームの上部ガイド片は、フレームの後方において上方に立ち上がるように形成されているため、ブラケットをフレームの背面側に設置することができない。このため、ブラケットの形状が限定されてしまうという課題があった。
【０００５】
そこで本発明は、このような課題に鑑みてなされたもので、その目的とするところは、隙間防止部材を備えたブラインドにおいて使用可能なブラケットの形状に自由度を持たせることの可能なブラインドを提供することにある。
【課題を解決するための手段】
【０００６】
上記課題を解決するために、本発明によれば、建物の開口部に配置される支持部材と、前記支持部材を前記開口部の固定面に固定するブラケットと、前記支持部材に一端が支持されるとともに前記支持部材から昇降可能に垂下する遮蔽材と、を有するブラインドであって、前記支持部材と前記固定面との間の隙間を遮蔽可能な隙間防止部材を備え、前記隙間防止部材は、前記ブラケットより前方の位置において、前記ブラケットと干渉しない位置に配置されることを特徴とする、ブラインドが提供される。なお、ここでいう前方の位置とは、ブラインドを正面（使用者がブラインドを操作する側の面）から見たときにブラケットよりも手前の位置であり、ブラケットを視覚的に遮断する位置である。
【０００７】
かかる構成によれば、隙間防止部材は支持部材に対してブラケットより前方の位置に設けられるため、ブラケットは隙間防止部材よりも後方側では形状を問わなくなる。よって、略Ｌ型形状等、使用可能なブラケットの形状に自由度を持たせることができる。
【０００８】
また、使用可能なブラケットの形状に自由度を持たせることができるため、特別な隙間防止機能を有さない通常のブラインドと同様の施工にて、支持部材の取付け及び取外しができる。さらに、ブラケットの前方に隙間防止部材が設けられるため、ブラケットに支持部材を取り付けると、支持部材の上方に露出されるブラケットを覆い隠すことができる。
【０００９】
本発明は様々な応用が可能である。例えば、前記支持部材には、前記ブラケットに係止されるためのツバ部が形成され、前記隙間防止部材は前記ツバ部の上面に設けられるようにしてもよい。ブラケットに係止されるためのツバ部の上面を利用することで、支持部材に新たに隙間防止部材を取り付けるためのスペースを設けたり、支持部材の形状を変更したりすることを要することなく、取り付けが可能となる。
【００１０】
また、前記支持部材は、前記ブラケットよりも前方に張り出して形成されており、張り出した部分の上面に前記隙間防止部材が設けられるようにしてもよい。支持部材の前面の張り出した部分の上面に隙間防止部材を設けるため、例えば、外嵌め式のブラケットを用いた場合でも、隙間防止部材がブラケットに干渉することはない。
【００１１】
また、前記支持部材の前面には、化粧カバーを収容する収容部が前方に突出して形成されており、前記収容部の上面に前記隙間防止部材が設けられるようにしてもよい。支持部材の前面に前方に突出して形成される収容部の上面に隙間防止部材が設けられるため、隙間防止部材がブラケットに干渉することはない。
【００１２】
また、前記隙間防止部材は、前記固定面に設けられるようにしてもよい。隙間防止部材を固定面に設けるようにすることで、ブラケットや支持部材の形状に左右されないため、使用可能なブラケットや支持部材の形状に自由度を持たせることができる。
【００１３】
また、前記隙間防止部材は、前記支持部材に一体に形成されていてもよい。隙間防止部材を支持部材に一体に形成することによって、隙間防止部材を別途取付ける必要がなく、施工時間の短縮につながる。
【発明の効果】
【００１４】
本発明によれば、隙間防止部材を備えたブラインドにおいて使用可能なブラケットの形状に自由度を持たせることの可能なブラインドを提供することができる。本発明のその他の効果については、後述する発明を実施するための形態においても説明する。
【図面の簡単な説明】
【００１５】
【図１】第１の実施形態のブラインド１００の全体構成を示す図であり、（ａ）は正面図であり、（ｂ）は平面図である。
【図２】ブラインド１００の側断面図である。
【図３】ブラケットに支持部材を係止した状態を示す斜視図である。
【図４】ヘッドボックス１１０をブラケット１３０に着脱する工程を説明するための断面図であり、（ａ）は係止した状態を示し、（ｂ）は係止を解除した状態を示す。
【図５】第２の実施形態のブラインド２００の構成を示す断面図であり、（ａ）は隙間防止部材２４０がモヘアの例を示し、（ｂ）は隙間防止部材２４０が軟質材の例を示す。
【図６】第３の実施形態のブラインド３００の構成を示す断面図である。
【図７】第４の実施形態のブラインド４００の構成を示す断面図である。
【図８】第５の実施形態のブラインド５００の構成を示す断面図である。
【発明を実施するための形態】
【００１６】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００１７】
（第１の実施形態）
本実施形態に係るブラインド１００の構成について、図１及び図２を参照しながら説明する。図１は、本実施形態のブラインド１００の全体構成を示す図であり、（ａ）は正面図であり、（ｂ）は平面図である。図２は、ブラインド１００の側断面図である。
【００１８】
ブラインド１００は、図１及び図２に示したように、建物の開口部ＡＰに固定されるヘッドボックス（支持部材）１１０と、ヘッドボックス１１０に一端が支持されるとともにヘッドボックス１１０から昇降可能に垂下するハニカムスクリーン（遮蔽材）１２０と、ヘッドボックス１１０を開口部ＡＰに固定するためにヘッドボックス１１０を係止可能なブラケット１３０とを有する。そして、ヘッドボックス１１０と開口部ＡＰの上部の固定面との間の隙間を遮蔽可能な隙間防止部材１４０を設け、隙間防止部材１４０は、ヘッドボックス１１０を係止するブラケット１３０より前方の位置において、ブラケット１３０と干渉しない位置に設けられるようにしたことを特徴とする。以下、本実施形態の各構成について詳細に説明する。
【００１９】
（ヘッドボックス１１０）
ヘッドボックス１１０は、図１に示したように、建物の開口部ＡＰの上部の固定面にブラケット１３０を介して固定される支持部材である。ヘッドボックス１１０の前側の上端には、図２に示したように、ブラケット１３０を係止するためのツバ部１１０ａが上方に突出して形成されている。また、ヘッドボックス１１０の後ろ側の上端には、ブラケット１３０に係止される係止片１１０ｂが後方に突出して形成されている。
【００２０】
ヘッドボックス１１０内には、回転軸１１２が回転可能に配置されている。回転軸１１２は、巻取ドラム１１４を貫通しており、一体に回転する。回転軸１１２の一端部はヘッドボックス１１０の一端に設けられた操作部１１６に連結されており、操作部１１６によって回転軸１１２が回転操作される。回転軸１１２が回転操作されると、下端がハニカムスクリーン１２０の下端に設けられたボトムレール１２２に連結され、上端が巻取ドラム１１４に連結される図示していない昇降コードが巻取ドラム１１４に巻取り及び巻解かれて、ハニカムスクリーン１２０が昇降する。
【００２１】
ヘッドボックス１１０の上端には、図２に示したように、ヘッドボックス１１０内の部品を保護するためのヘッドボックスカバー１１８が設けられている。ヘッドボックスカバーには、ブラケット１３０の下面が当接する。
【００２２】
図１に示したように、建物の開口部ＡＰの両側部に沿って上下方向全体にわたってフレーム１５０が配置されている。フレーム１５０は、図１（ｂ）及び図２に示したように、開口部ＡＰに固定されるベース部１５２とベース部１５２からヘッドボックス１１０及びハニカムスクリーン１２０の方向に突出する第１遮蔽片１５４と、第１遮蔽片１５４の先端から突出する第２遮蔽片１５６と、から構成される。第１遮蔽片１５４は、ヘッドボックス１１０及びハニカムスクリーン１２０の両側端部と開口部ＡＰとの間の空間を遮蔽する。第２遮蔽片１５６は、ハニカムスクリーン１２０の上端から開口部ＡＰの下端まで設けられており、ハニカムスクリーン１２０とボトムレール１２２の内部に挿入される。
【００２３】
（ハニカムスクリーン１２０）
ハニカムスクリーン１２０は、開口部を閉塞したり開放したりする遮蔽材である。ハニカムスクリーン１２０は、図２に示したように、断面６角形の筒状のセルが上下方向に連結されて畳み込み及び展開可能に形成されている。ハニカムスクリーン１２０は、上端がヘッドボックス１１０に連結されており、下端がボトムレール１２２に連結されている。
【００２４】
ハニカムスクリーン１２０とボトムレール１２２及びボトムレールキャップ１２４の両側部は、上下方向に切欠部１２０ａ、１２２ａ、１２４ａが設けられており、切欠部１２０ａ、１２２ａ、１２４ａには、遮蔽片１５６が挿入している。ボトムレール１２２の下面には、下部隙間防止部材１２６が取付けられている。下部隙間防止部材１２６は、ボトムレール１２２を最も下降させたときに、ボトムレール１２２と開口部ＡＰの下端との隙間を遮蔽する。下部隙間防止部材１２６は、例えば、弾性変形可能な樹脂などによって構成することができる。
【００２５】
（ブラケット１３０）
ブラケット１３０は、ヘッドボックス１１０を開口部ＡＰに固定するためのものである。ブラケット１３０は、図１に示したように、ヘッドボックス１１０の長手方向に複数設けられており、上部１３０ａが開口部ＡＰの上部の固定面に固定されている。ブラケット１３０の前端には、図２に示したように、ヘッドボックス１１０のツバ部１１０ａに係止可能な係止部１３０ｂがブラケット本体１３０ｃの上方に突出するように形成されている。
【００２６】
ブラケット１３０の後部には、ヘッドボックス１１０の係止片１１０ｂを係止したり係止を解除したりするブラケット操作部１３２が設けられている。ブラケット操作部１３２は、下方に位置しているときに係止片１１０ｂを係止し、押し上げられて上方に位置しているときに係止片１１０ｂの係止を解除する。
【００２７】
（隙間防止部材１４０）
隙間防止部材１４０は、ヘッドボックス１１０と開口部ＡＰの上部の固定面との間の隙間を遮蔽可能なものである。隙間防止部材１４０は、図２に示したように、モヘアで構成されており、ヘッドボックス１１０のツバ部１１０ａの上面に取付けられている。隙間防止部材１４０の上端は開口部ＡＰの上部の固定面に当接しており、ヘッドボックス１１０と開口部ＡＰの上部の固定面との間の隙間を遮蔽する。隙間防止部材１４０は、図３に示したように、例えば貼付けなどの手段でツバ部１１０ａの上部に設けられている。このため、ツバ部１１０ａに係止されたブラケット１３０と干渉しない。よって隙間防止部材１４０は、ヘッドボックス１１０の上方に露出されるブラケット１３０を覆い隠す。
【００２８】
以上、本実施形態のブラインド１００の構成について説明した。以下、ヘッドボックス１１０をブラケット１３０に着脱する工程について、図４を参照しながら説明する。図４は、ヘッドボックス１１０をブラケット１３０に着脱する工程を説明するための断面図であり、（ａ）は係止した状態を示し、（ｂ）は係止を解除した状態を示す。
【００２９】
ヘッドボックス１１０がブラケット１３０に係止しているときは、図４（ａ）に示したように、ヘッドボックス１１０のツバ部１１０ａにブラケット１３０の係止部１３０ｂが係止している。また、ヘッドボックス１１０の係止片１１０ｂがブラケット１３０のブラケット操作部１３２と連動する掛止片１３１に係止している。
【００３０】
ヘッドボックス１１０とブラケット１３０の係止を解除するときは、図４（ｂ）に示したように、ブラケット１３０のブラケット操作部１３２を図中の矢印Ａで示したように、上方に移動させる。すると、ブラケット操作部１３２の上端の斜面によって掛止片１３１が図中右方向へ押され、係止片１１０ｂの係止が解除されて、ヘッドボックス１１０はツバ部１１０ａのみがブラケット１３０の係止部１３０ｂに係止された状態になる。よって、ヘッドボックス１１０は、図中の矢印Ｂで示したように、ツバ部１１０ａを中心として揺動し、ツバ部１１０ａが係止部１３０ｂから取り外しやすい状態になる。この後、ツバ部１１０ａを係止部１３０ｂから取り外すことにより、ヘッドボックス１１０をブラケット１３０から取り外すことができる。
【００３１】
また、ヘッドボックス１１０をブラケット１３０に係止させるときは、取り外しと逆の工程で行うことができる。ヘッドボックス１１０をブラケット１３０に着脱するときに、隙間防止部材１４０はヘッドボックス１１０のツバ部１１０ａの上面に設けられているため、隙間防止部材１４０がブラケット１３０に干渉しない。このため、隙間防止部材１４０がブラケット１３０によって押しつぶされたり、変形したりすることがない。
【００３２】
（第１の実施形態の効果）
以上説明したように、本実施形態によれば、隙間防止部材１４０はヘッドボックス１１０に対してブラケット１３０よりも前方の位置に設けられるため、ブラケット１３０は隙間防止部材１４０よりも後方側では形状を問わなくなり、略Ｌ型形状等、使用可能なブラケット１３０の形状に自由度を持たせることができる。
【００３３】
また、使用可能なブラケット１３０の形状に自由度を持たせることができるため、特別な隙間防止機能を有さない通常のブラインドと同様の施工にてヘッドボックス１１０の取付け及び取外しができる。さらに、ブラケット１３０の前方に隙間防止部材１４０が設けられるため、ブラケット１３０にヘッドボックス１１０を取り付けると、ヘッドボックス１１０の上方に露出されるブラケット１３０を覆い隠すことができる。よって、意匠性を向上させることができる。
【００３４】
また、ブラケット１３０に係止されるためのツバ部１１０ａの上面を利用することで、ヘッドボックス１１０に新たに隙間防止部材１４０を取り付けるためのスペースを設けたり、ヘッドボックス１１０の形状を変更したりすることを要することなく、取り付けが可能となる。
【００３５】
また、ヘッドボックス１１０と開口部ＡＰの上部の固定面との隙間をヘッドボックス１１０の幅方向全長にわたって隙間防止部材１４０で塞ぐことができるため、ブラインド１００の上部からの空気の流入や光漏れを防止し、断熱効果や遮光性を高めることができる。
【００３６】
（第２の実施形態）
第２の実施形態に係るブラインド２００について、図５を参照しながら説明する。図５は、本実施形態のブラインド２００の構成を示す断面図であり、（ａ）は隙間防止部材２４０がモヘアの例を示し、（ｂ）は隙間防止部材２４０が軟質材の例を示す。本実施形態は、ヘッドボックス２１０とブラケット２３０の構成が外嵌め式である点が上記第１の実施形態と異なるものである。本実施形態では、上記第１の実施形態と異なる点を中心に説明する。実質的に同一の機能構成を有する構成要素については、同一の符号を付することにより重複説明を省略する。
【００３７】
本実施形態の隙間防止部材２４０は、第１の実施形態の隙間防止部材１４０に対応するため、説明を省略する。
【００３８】
（ヘッドボックス２１０）
ヘッドボックス２１０は、図５に示したように、上端部の前後にブラケット２３０に係止する前係止片２１０ａと後係止片２１０ｂとが設けられている。また、ヘッドボックス２１０の前面は、前係止片２１０ａよりも前方に張り出しており、張り出した部分の上面に隙間防止部材２４０が取付けられる。隙間防止部材２４０は、図５（ａ）に示したように、第１の実施形態の隙間防止部材１４０と同様のモヘアでもよく、図５（ｂ）に示したように、軟質材の樹脂などによって構成されていてもよい。隙間防止部材２４０は、ブラケット２３０の前方に配置されるためブラケット２３０に干渉しない。また、隙間防止部材２４０の長さは、ブラケット２３０よりも上方に突出する長さであり、ブラケット２３０を覆い隠すことができる。
【００３９】
（ブラケット２３０）
ブラケット２３０は、ヘッドボックス２１０を外側から支持する外嵌め式のブラケットである。ブラケット２３０は、図５に示したように、ヘッドボックス２１０の前係止片２１０ａ及び後係止片２１０ｂをそれぞれ係止する前係止部２３０ａ及び後係止部２３０ｂが対向する方向に突出して設けられている。前係止部２３０ａはブラケット２３０の前面に設けられているブラケット操作部２３２によって前後に移動可能である。後係止部２３０ｂは、ブラケット本体２３０ｃに固定されている。前係止部２３０ａを前後に移動させてヘッドボックス２１０の前係止片２１０ａを係止したり係止を解除したりすることにより、ヘッドボックス２１０がブラケット２３０に着脱される。
【００４０】
（第２の実施形態の効果）
以上説明したように、本実施形態によれば、ヘッドボックス２１０の前面をブラケット２３０に係止する前係止片２１０ａよりも前方に張り出した形状とし、張り出した部分に隙間防止部材２４０を設ける。このため、外嵌め式のブラケット２３０を用いた場合でも、隙間防止部材２４０がブラケット２３０に干渉することはない。
【００４１】
（第３の実施形態）
第３の実施形態に係るブラインド３００について、図６を参照しながら説明する。図６は、本実施形態のブラインド３００の構成を示す断面図である。本実施形態は、ヘッドボックス３１０とブラケット３３０の構成が上記第１の実施形態と異なるものである。本実施形態では、上記第１の実施形態と異なる点を中心に説明する。実質的に同一の機能構成を有する構成要素については、同一の符号を付することにより重複説明を省略する。
【００４２】
本実施形態の隙間防止部材３４０は、第１の実施形態の隙間防止部材１４０に対応するため、説明を省略する。
【００４３】
（ヘッドボックス３１０）
ヘッドボックス３１０は、図６に示したように、上端部の前後にブラケット３３０に係止する前係止片３１０ａと後係止片３１０ｂとが対向する側に折り曲げられて下方に突出して設けられている。また、ヘッドボックス３１０の前面には、化粧カバー３１９を収容する収容部３１０ｃが前方に突出して設けられている。化粧カバー３１９は任意の構成とすることができるが、例えばスラットを流用してもよい。収容部３１０ｃの上面に隙間防止部材３４０が取付けられる。隙間防止部材３４０は、ブラケット３３０の前方に配置されるためブラケット３３０に干渉しない。また、隙間防止部材３４０の長さは、第１の実施形態の隙間防止部材１４０よりも長く、ブラケット３３０よりも上方に突出する長さであり、ブラケット３３０を覆い隠すことができる。
【００４４】
（ブラケット３３０）
ブラケット３３０は、ヘッドボックス３１０を内側から支持する内嵌め式のブラケットである。ブラケット３３０は、図６に示したように、ヘッドボックス３１０の前係止片３１０ａ及び後係止片３１０ｂをそれぞれ下から係止する前係止部３３０ａ及び後係止部３３０ｂが前後方向に突出して設けられている。前係止部３３０ａは、ブラケット本体３３０ｃに固定されている。後係止部３３０ｂはブラケット３３０の前面に設けられているブラケット操作部３３２によって前後に移動可能である。後係止部３３０ｂを前後に移動させてヘッドボックス３１０の後係止片３１０ｂを係止したり係止を解除したりすることにより、ヘッドボックス３１０がブラケット３３０に着脱される。
【００４５】
（第３の実施形態の効果）
以上説明したように、本実施形態によれば、ヘッドボックス３１０の前面に設けられる化粧カバー３１９を収容する収容部３１０ｃの上面に隙間防止部材３４０が取付けられる。このため、隙間防止部材３４０がブラケット３３０に干渉することはない。
【００４６】
（第４の実施形態）
第４の実施形態に係るブラインド４００について、図７を参照しながら説明する。図７は、本実施形態のブラインド４００の構成を示す断面図である。本実施形態は、隙間防止部材４４０の取付位置が上記第１の実施形態と異なるものである。本実施形態では、上記第１の実施形態と異なる点を中心に説明する。実質的に同一の機能構成を有する構成要素については、同一の符号を付することにより重複説明を省略する。
【００４７】
本実施形態のヘッドボックス４１０、ツバ部４１０ａ、ブラケット４３０は、第１の実施形態のヘッドボックス１１０、ツバ部１１０ａ、ブラケット１３０に対応するため、説明を省略する。
【００４８】
隙間防止部材４４０は、図７に示したように、モヘアの先端がツバ部４１０ａに当接するように開口部ＡＰの上部の固定面に固定されている。よって隙間防止部材４４０は、ヘッドボックス４１０の上方に露出されるブラケット４３０を覆い隠す。
【００４９】
（第４の実施形態の効果）
以上説明したように、本実施形態によれば、隙間防止部材４４０を開口部ＡＰの上部の固定面に設けるようにすることで、ブラケット４３０やヘッドボックス４１０の形状に左右されないため、使用可能なブラケット４３０やヘッドボックス４１０の形状に自由度を持たせることができる。
【００５０】
（第５の実施形態）
第５の実施形態に係るブラインド５００について、図８を参照しながら説明する。図８は、本実施形態のブラインド５００の構成を示す断面図である。本実施形態は、ヘッドボックス５１０と隙間防止部材５４０が一体に成形されている点が上記第２の実施形態と異なるものである。本実施形態では、上記第２の実施形態と異なる点を中心に説明する。実質的に同一の機能構成を有する構成要素については、同一の符号を付することにより重複説明を省略する。
【００５１】
本実施形態のブラケット５３０、ブラケット操作部５３２は、上記第２の実施形態のブラケット２３０、ブラケット操作部２３２に対応するため、説明を省略する。
【００５２】
ヘッドボックス５１０は２色成型部品であり、上部に隙間防止部材５４０が形成されている。すなわち、ヘッドボックス５１０は、図８に示したように、上記第２の実施形態のヘッドボックス２１０と同様に前面が係止片５１０ａより前方に張り出して形成されており、張り出した部分の上面に隙間防止部材５４０が一体に形成されている。ヘッドボックス５１０は硬質の樹脂で構成されており、隙間防止部材５４０は軟質の樹脂で構成されている。隙間防止部材５４０の上端は、前方に傾くように弾性変形しつつ先端が開口部ＡＰの上部の固定面に当接している。
【００５３】
（第５の実施形態の効果）
以上説明したように、本実施形態によれば、隙間防止部材５４０をヘッドボックス５１０に一体に形成することによって、隙間防止部材５４０を別途取付ける必要がなく、施工時間の短縮につながる。
【００５４】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００５５】
例えば、上記実施形態では、隙間防止部材を支持部材又は開口部に設けたが、本発明はこれに限定されない。ヘッドボックスと開口部との隙間を閉鎖することができれば、隙間防止部材の取付位置は限定されない。例えば、隙間防止部材をブラケットに設けてもよい。
【００５６】
また、上記実施形態では、遮蔽材をハニカムスクリーンとしたが、本発明はこの例に限定されず任意の遮蔽材を用いることができる。例えば、プリーツスクリーンやロールスクリーンなどでもよい。
【００５７】
また、上記実施形態では、隙間防止部材をモヘアや軟質材の樹脂としたが、本発明はこの例に限定されない。ヘッドボックスと開口部との隙間を閉鎖することができれば任意の設計とすることができる。例えば、隙間防止部材を紙や綿などとしてもよい。
【００５８】
また、上記実施形態において、隙間防止部材がブラケットと干渉しない位置に配置されるとは、隙間防止部材がブラケットによって変形されない位置に配置されることを指し、隙間防止部材の一部がブラケットに接触する程度のものは、本願の干渉しない範囲に含まれる。
【００５９】
以上説明した実施形態・応用例・変形例等は、適宜組み合わせて実施することができる。
【符号の説明】
【００６０】
１００、２００、３００、４００、５００  ブラインド
１１０、２１０、３１０、４１０、５１０  ヘッドボックス（支持部材）
１１０ａ、４１０ａ  ツバ部
１１０ｂ  係止片
１１２  回転軸
１１４  巻取ドラム
１１６  操作部
１１８  ヘッドボックスカバー
１２０  ハニカムスクリーン（遮蔽材）
１２０ａ  切欠部
１２２  ボトムレール
１２２ａ  切欠部
１２４  ボトムレールキャップ
１２４ａ  切欠部
１２６  下部隙間防止部材
１３０、２３０、３３０、４３０、５３０  ブラケット
１３０ａ  上部
１３０ｂ  係止部
１３０ｃ、２３０ｃ、３３０ｃ  ブラケット本体
１３１  掛止片
１３２、２３２、３３２、５３２  ブラケット操作部
１４０、２４０、３４０、４４０、５４０  隙間防止部材
１５０  フレーム
１５２  ベース部
１５４  第１遮蔽片
１５６  第２遮蔽片
２１０ａ、３１０ａ  前係止片
２１０ｂ、３１０ｂ  後係止片
２３０ａ、３３０ａ  前係止部
２３０ｂ、３３０ｂ  後係止部
３１０ｃ  収容部
３１９  化粧カバー
ＡＰ  開口部
【図１】
2020133299.tif 000003
【図２】
2020133299.tif 000004
【図３】
2020133299.tif 000005
【図４】
2020133299.tif 000006
【図５】
2020133299.tif 000007
【図６】
2020133299.tif 000008
【図７】
2020133299.tif 000009
【図８】
2020133299.tif 000010